(57)【要約】【課題】フィルタの交換作業の簡素化を図り、内部の洗浄作業の省力化を図る。【解決手段】本発明の粉粒体回収機は、複数のバグフィルタ５２を有するフィルタユニット５０と、フィルタユニット５０を着脱可能に支持するガイド部材３３，３４，３６と、筐体３の開口部を開閉可能な開閉扉と、往復動可能なように筐体３に設けられるハタキ軸と、ハタキ軸を中心にして回動可能に設けられる複数のハタキ杆８６と、各ハタキ杆８６より開口部側に突出するように設けられる外杆部材８７と、を備え、外杆部材８７は、フィルタユニット５０を装着した状態ではバグフィルタ５２の開口部側部分に接触又は近接した位置に配置され、フィルタユニット５０を抜脱する際にはバグフィルタ５２の開口部側部分に押圧されてハタキ杆８６と共に開口部側に回動し、フィルタユニット５０の抜脱経路から外れるように構成されていることを特徴とする。【選択図】図９
2014050821.tif 000002
【特許請求の範囲】
【請求項１】
粉粒体を含む空気を筐体内に吸い込んで濾過した後、該粉粒体を回収すると共に清浄空気を外部に排出するように構成した粉粒体回収機であって、
吊下げ状態で並設される複数のバグフィルタを有するフィルタユニットと、
該フィルタユニットを前記バグフィルタの並設方向と交差する方向に着脱可能に支持するガイド部材と、
前記フィルタユニットの抜脱側において前記筐体に形成される開口部を開閉可能な開閉扉と、
前記バグフィルタの並設方向に沿って往復動可能なように前記筐体に設けられるハタキ軸と、
前記バグフィルタの両側及び隙間に対応するように前記ハタキ軸に所定間隔で並設され、前記ハタキ軸を中心にして前記開口部側に回動可能に設けられる複数のハタキ杆と、
該各ハタキ杆より前記開口部側に突出するように設けられる外杆部材と、
を備え、該外杆部材は、前記フィルタユニットを装着した状態では前記バグフィルタの前記開口部側部分に接触又は近接した位置に配置され、前記フィルタユニットを抜脱する際には前記バグフィルタの前記開口部側部分に押圧されて前記ハタキ杆と共に前記開口部側に回動し、前記フィルタユニットの抜脱経路から外れるように構成されていることを特徴とする粉粒体回収機。
【請求項２】
前記ハタキ軸は前記フィルタユニットの下方に設けられ、前記各ハタキ杆の下端はベース部材にそれぞれ固定され、該ベース部材には前記ハタキ軸に対して上方から嵌脱可能な下向き溝が形成されていることを特徴とする請求項１に記載の粉粒体回収機。
【請求項３】
前記ハタキ軸は前記筐体の対向する側面に着脱自在に設けられていることを特徴とする請求項１又は２に記載の粉粒体回収機。
【請求項４】
前記筐体の対向する側面にそれぞれ設けられる吊金具と、
該各吊金具に着脱自在に懸架されると共に前記ハタキ軸の両端部が着脱自在に掛止され、該ハタキ軸の往復動方向に揺動可能な一対のリンク部材と、
前記ハタキ軸の一端に形成され、前記筐体の一側面に着脱自在に貫挿される操作部材と、
を備えていることを特徴とする請求項３に記載の粉粒体回収機。
【請求項５】
前記開閉扉には当接ガイドが内側に突出するように設けられ、前記フィルタユニットの着脱経路から外れる位置まで前記外杆部材が前記開口部側に回動した姿勢の時に前記開閉扉を閉鎖すると、前記外杆部材は、前記当接ガイドによって反開口部側に押圧され、前記バグフィルタの前記開口部側部分に接触又は近接した位置まで回動することを特徴とする請求項１〜４のいずれかに記載の粉粒体回収機。
【発明の詳細な説明】
【技術分野】
【０００１】
本発明は、各種の粉塵の集塵や食品・医薬品等の生産工程で使用される生産設備に付帯する粉粒体回収機に関し、特に、フィルタに付着した粉粒体を払い落とすハタキ杆を備えた粉粒体回収機に関するものである。
【背景技術】
【０００２】
従来、医薬品を製造する工程では、打錠機、充填機、造粒乾燥機、梱包機、包装機、計量機等の造粒製造工程の設備に付随して、医薬品原材料の粉粒体を適切に回収して再利用できる粉粒体回収機が求められている。
【０００３】
また、製麺等の食品を製造する工程では、原料生成工程、製粉工程、投入工程、フレコン計量工程、ブレンド工程、ふるい分け工程、麺カット工程、麺くず回収工程、製麺工程等の様々な工程において、様々な状態の食品原材料を適切に回収できる粉粒体回収機が求められている。
【０００４】
この種の医薬品・食料品などの製造工程で使用される粉粒体回収機においては、樹脂製のフィルタそのものを筐体本体から取り外して水洗いが可能であると共に、フィルタが装着される筐体内部が水洗い可能なように構成されており、異なる様々な仕様の粉粒体の回収工程を、それぞれ同じ回収機で実現できるように考慮されている。
【０００５】
さらに、この種の粉粒体回収機においては、衛生的な側面から内部にカビや細菌が繁殖しないようにする必要があり、筐体内部に粉粒体が溜まりにくく、水洗いで残留した粉粒体が容易に排出できるように、筐体内部は極力隅部やフランジ等がなく、曲面で構成されていることが望ましい。さらに、回収対象である粉粒体の仕様が一日のうちに数回変更される場合にも極力時間が掛からないで対応できるよう、簡単にフィルタの交換作業や筐体内部の水洗い洗浄作業ができることが望まれている。
【０００６】
このような要望を満足すべく、本出願人は、特許文献１において、集塵機の機体の内部でフィルタをブラケットに対して吊り下げた状態で取り付け自在に構成し、フィルタ装着板の上面側にフィルタ脱着クランプを設けることでフィルタの交換作業を簡単な操作で手軽に行なえるように工夫したフィルタ取付装置に関する技術を発明し、実現している。
【０００７】
また、本出願人は、特許文献２において、集塵用バケットの内部に取り付けたハタキ軸に多数のハタキ杆を並設し、該各ハタキ杆をバグフィルタの底部側の隙間に嵌め込んで前記ハタキ軸を進退動作させることによってダストを払い落とすように構成したフィルタ除塵装置において、各ハタキ杵を横倒できるようにハタキ軸を集塵用バケットに対して円周方向に回動操作自在に取付けたフィルタ除塵装置に関する技術を考案し、実現している。
【先行技術文献】
【特許文献】
【０００８】
【特許文献１】特開２００５−７４２６７号公報
【特許文献２】実開平４−７０１１３号公報
【発明の概要】
【発明が解決しようとする課題】
【０００９】
しかしながら、上記した特許文献１では、フィルタを交換する場合、集塵機の機体の前面に取り付けたメンテナンス扉を開放すると共に、集塵機の機体の上側のルーフ体を上方に回動させて開放しなければ、フィルタ脱着クランプの操作ができないため、フィルタの交換作業が容易に可能なレベルとは言えない。
【００１０】
また、上記した特許文献２では、集塵用バケットの左右側板に上下回動自在に取り付けられたガイドフレームを上方に回動させてガイド長孔からガイドピンを外す操作を行うと共に、各ハタキ杵を横倒できるようにハタキ軸を集塵用バケットに対して円周方向に回動する操作を行った後に、フィルタの交換作業を行なう必要があるため、該作業の簡素化が図り難いといった問題がある。また、フィルタを取り出した後にハタキ杵やハタキ軸等の部品が集塵用バケット内に残っているため、集塵用バケットの内部を全面的に洗浄する際に、これらの部品が洗浄作業の邪魔になるといった問題もある。
【００１１】
本発明は、上記した課題を解決すべくなされたものであり、フィルタの交換作業の簡素化を図ることができると共に、内部の洗浄作業の省力化を図ることができるように工夫した粉粒体回収機を提供することを課題とする。
【課題を解決するための手段】
【００１２】
上記した課題を解決するため、本発明の第１の粉粒体回収機は、粉粒体を含む空気を筐体内に吸い込んで濾過した後、該粉粒体を回収すると共に清浄空気を外部に排出するように構成した粉粒体回収機であって、吊下げ状態で並設される複数のバグフィルタを有するフィルタユニットと、該フィルタユニットを前記バグフィルタの並設方向と交差する方向に着脱可能に支持するガイド部材と、前記フィルタユニットの抜脱側において前記筐体に形成される開口部を開閉可能な開閉扉と、前記バグフィルタの並設方向に沿って往復動可能なように前記筐体に設けられるハタキ軸と、前記バグフィルタの両側及び隙間に対応するように前記ハタキ軸に所定間隔で並設され、前記ハタキ軸を中心にして前記開口部側に回動可能に設けられる複数のハタキ杆と、該各ハタキ杆より前記開口部側に突出するように設けられる外杆部材と、を備え、該外杆部材は、前記フィルタユニットを装着した状態では前記バグフィルタの前記開口部側部分に接触又は近接した位置に配置され、前記フィルタユニットを抜脱する際には前記バグフィルタの前記開口部側部分に押圧されて前記ハタキ杆と共に前記開口部側に回動し、前記フィルタユニットの抜脱経路から外れるように構成されていることを特徴とする。
【００１３】
上記した本発明の第１の粉粒体回収機によれば、フィルタユニットを抜脱する動作に伴ってハタキ杆が回動し、フィルタユニットの抜脱経路から外れて回避した状態になるため、ハタキ杵がフィルタユニットの抜脱動作の邪魔にならずに容易にフィルタユニットを取り外すことができる。
【００１４】
また、本発明の第２の粉粒体回収機は、前記ハタキ軸が前記フィルタユニットの下方に設けられ、前記各ハタキ杆の下端がベース部材にそれぞれ固定され、該ベース部材には前記ハタキ軸に対して上方から嵌脱可能な下向き溝が形成されていることを特徴とする。
【００１５】
従来は、フィルタユニットを取り付ける際、ハタキ杵の装着位置を調整しながら比較的重いフィルタユニットを挿入しなければならなかったため、その挿入操作が非常に面倒だったのに対して、上記した本発明の第２の粉粒体回収機によれば、フィルタユニットを取り付けた後に、バグフィルタの並設間隔内に比較的軽いハタキ杵を挿入すればよいため、フィルタユニットの取り付け作業の容易化を図ることができる。
【００１６】
また、本発明の第３の粉粒体回収機は、前記ハタキ軸が前記筐体の対向する側面に着脱自在に設けられていることを特徴とする。
【００１７】
上記した本発明の第３の粉粒体回収機によれば、ハタキ軸、ハタキ杆、及び外杆部材を筐体から取り外すことができるため、筐体内を流水により簡単に洗浄作業することができ、洗浄後に筐体内に残留物が残ることを極力防止でき、筐体内部を清潔に維持することができる。
【００１８】
さらに、本発明の第４の粉粒体回収機は、前記筐体の対向する側面にそれぞれ設けられる吊金具と、該各吊金具に着脱自在に懸架されると共に前記ハタキ軸の両端部が着脱自在に掛止され、該ハタキ軸の往復動方向に揺動可能な一対のリンク部材と、前記ハタキ軸の一端に形成され、前記筐体の一側面に着脱自在に貫挿される操作部材と、を備えていることを特徴とする。
【００１９】
上記した本発明の第４の粉粒体回収機によれば、リンク部材や操作部材も取り外すことができ、粉粒体回収機の筐体内部をほぼ空の状態にすることができるため、筐体内の流水による洗浄作業をより簡単に行うことができ、洗浄後に筐体内に残留物が残ることを防止でき、筐体内部をより清潔に維持することが可能となる。
【００２０】
さらに、本発明の第５の粉粒体回収機は、前記開閉扉には当接ガイドが内側に突出するように設けられ、前記フィルタユニットの着脱経路から外れる位置まで前記外杆部材が前記開口部側に回動した姿勢の時に前記開閉扉を閉鎖すると、前記外杆部材は、前記当接ガイドによって反開口部側に押圧され、前記バグフィルタの前記開口部側部分に接触又は近接した位置まで回動することを特徴とする。
【００２１】
上記した本発明の第５の粉粒体回収機によれば、フィルタユニットの取り外し時に開口部側に回動させたハタキ杵を、フィルタユニットの取り付け後に正規の位置に戻し忘れた場合でも、開閉扉の閉鎖操作に伴ってハタキ杆を正規の位置に移動させることができるため、ハタキ杵や外杆部材を誤操作によって破損又は損傷させることを防止することができる。
【発明の効果】
【００２２】
以上の如く構成された本発明に係る粉粒体回収機によれば、フィルタユニットの抜脱操作に伴ってハタキ杵の回動によるフィルタユニット抜脱経路からの自動回避を行うことができるため、フィルタユニットの抜脱作業の簡素化を図ることができる。また、フィルタユニットを装着した後にバグフィルタの並設間隔内に比較的軽いハタキ杵を容易に装着させることができるため、フィルタユニットの装着作業の容易化を図ることができる。さらに、粉粒体回収機の内部を流水により簡単に洗浄することができ、洗浄後の残留物の残存を極力防止でき、内部を清潔に維持することが可能となる等、種々の優れた効果を得ることができる。
【図面の簡単な説明】
【００２３】
【図１】本発明の実施の形態に係る粉粒体回収機の外観を示す斜視図である。
【図２】本発明の実施の形態に係る粉粒体回収機において開閉扉を取り外した状態を示す正面図である。
【図３】本発明の実施の形態に係る粉粒体回収機のフィルタ室の内部を示す斜視図である。
【図４】本発明の実施の形態に係る粉粒体回収機の仕切板の周辺構造を分解して示す斜視図である。
【図５】本発明の実施の形態に係る粉粒体回収機のフィルタユニットの構成を分解して示す斜視図である。
【図６】本発明の実施の形態に係る粉粒体回収機のフィルタユニットのロック機構を示す側面図であり、（ａ）はロック状態を示し、（ｂ）はロック解除状態を示している。
【図７】本発明の実施の形態に係る粉粒体回収機のハタキ設備の構成を分解して示す斜視図である。
【図８】本発明の実施の形態に係る粉粒体回収機のハタキ設備を示しており、（ａ）は斜視図で、（ｂ）は側断面図である。
【図９】本発明の実施の形態に係る粉粒体回収機におけるフィルタユニットの抜脱動作を示す斜視図である。
【図１０】本発明の実施の形態に係る粉粒体回収機におけるフィルタユニットの抜脱動作を示す斜視図である。
【図１１】本発明の実施の形態に係る粉粒体回収機におけるフィルタユニットの抜脱動作を示す斜視図である。
【図１２】（ａ）、（ｂ）、（ｃ）は本発明の実施の形態に係る粉粒体回収機においてハタキ設備を取り外す方法について順を追って示す説明図である。
【図１３】本発明の実施の形態に係る粉粒体回収機においてハタキ杆を筐体内の正規の位置に収納する方法を示す説明図であり、（ａ）は正面図、（ｂ）は平面図、（ｃ）は右側面図である。
【発明を実施するための形態】
【００２４】
以下、図面を参照しつつ、本発明の実施の形態に係る粉粒体回収機について詳細に説明する。なお、これらの実施の形態は本発明の好適な具体例であって、技術的に好ましい種々の限定を付している場合もあるが、本発明の技術範囲は、特に本発明を限定する記載がない限りこれらの態様に限定されるものではない。
【００２５】
先ず、図１及び図２を参照しつつ、本発明の実施の形態に係る粉粒体回収機１の全体構成について説明する。ここで、図１は粉粒体回収機１の外観を示す斜視図であり、図２は粉粒体回収機１において開閉扉１０を取り外した状態を示す正面図である。なお、以下の説明において、左右の向きは、便宜上、正面視における向きを基準とする。
【００２６】
本発明の実施の形態に係る粉粒体回収機１は、内部にフィルタ室２を形成する筐体本体３と、筐体本体３の上方に接続されて内部にブロア室４を形成するルーフ体５と、を備えている。筐体本体３とルーフ体５とは通常は一体化されており、全面的なメンテナンスや洗浄作業の際には分割可能なように構成されている。
【００２７】
筐体本体３の右側面６には、後方上部側に円筒形状の吸気ダクト７の一端が接続されている。吸気ダクト７の他端は図示しない粉粒体加工設備等の粉粒体の発生源に接続されており、この吸気ダクト７を介して粉粒体を含む空気がフィルタ室２内に吸い込まれるようになっている。
【００２８】
筐体本体３の正面８には、矩形状の開口部９が形成され、この開口部９はメンテナンス用の開閉扉１０により開閉可能となっている。開閉扉１０は、開口部９の周縁部に取り付けられたヒンジ１１を介して左横方向に回動可能に設けられ、筐体本体３の右側面６に取り付けられたロック金具１２により開口部９の密閉状態を保持できるように構成されている。なお、開閉扉１０は、開口部９を開閉可能に構成されていればこの形態に限定されるものではなく、例えば、筐体本体３の正面８に対してロック金具（図示省略）によって着脱自在に設けられていてもよい。さらに、左右両側に開閉する観音開きでもよい。
【００２９】
筐体本体３の底部には下方向に窄まった形状のホッパ部１３が形成され、ホッパ部１３の下側には粉粒体を回収するバケット１４が固定金具１５により着脱自在に設けられている。また、ホッパ部１３の周囲には筐体本体３を立設させるための脚部１６が固定されている。なお、フィルタ室２の内部の構成の詳細については後述する。
【００３０】
ルーフ体５のブロア室４には、下部に偏平なブロア１７が水平姿勢で設けられ、ブロア１７の上方にはモータ軸１８を介してブロアモータ１９がブロア１７に接続されている。また、ブロアモータ１９の側方には電装部２０が配設されている。ルーフ体５の上面中央には円形の排気口２１が形成されており、排気口２１はメッシュ状部材２２により覆われている。
【００３１】
次に、図３〜図８を参照しつつ、筐体本体３のフィルタ室２の内部の構成について説明する。ここで、図３は粉粒体回収機のフィルタ室の内部を示す斜視図、図４は粉粒体回収機の仕切板の周辺構造を分解して示す斜視図、図５は粉粒体回収機のフィルタユニットの構成を分解して示す斜視図、図６は粉粒体回収機のフィルタユニットのロック機構を示す側面図であり、（ａ）はロック状態を示し、（ｂ）はロック解除状態を示しており、図７は粉粒体回収機のハタキ設備の構成を分解して示す斜視図、図８は粉粒体回収機のハタキ設備を示しており、（ａ）は斜視図で、（ｂ）は側断面図である。
【００３２】
図３及び図４に示されているように、筐体本体３の上面は開口されており、この開口を塞ぐように仕切板２７が取り付けられている。仕切板２７には、左右に矩形のフィルタ開口部２８が形成されており、仕切板２７の上面側には、左右のフィルタ開口部２８を跨ぐようにシート押え部材２９が固定される。シート押え部材２９は左右方向に細長い形状を成し、左右のフィルタ開口部２８に対応する下面側部分は櫛歯状に形成され、左右にそれぞれ１０個の凹部３０が形成されている。
【００３３】
仕切板２７の下面側には、後側周辺部に沿って左右方向に後側ガイド部材３１が鉛直下向きに取り付けられており、後側ガイド部材３１には左右に当接部３２が水平に形成されている。仕切板２７の下面側には、左右のフィルタ開口部２８の左右外側周辺部に沿って前後方向に左側ガイド部材３３及び右側ガイド部材３４がそれぞれ鉛直下向きに取り付けられていると共に、左右のフィルタ開口部２８の間の細長部分３５に沿って前後方向に中央ガイド部材３６が鉛直下向きに取り付けられている。左側ガイド部材３３と右側ガイド部材３４の内面、及び中央ガイド部材３６の両面には、前方に向かって下傾するレール部３７がそれぞれ形成されている。
【００３４】
また、仕切板２７の下面側には、左右のフィルタ開口部２８を覆うように矩形状の棚板４０が矩形環状のパッキン４１を介してそれぞれ気密に取り付けられている。左右の棚板４０には、シート押え部材２９の凹部３０に対応する位置にそれぞれ１０個のスリット状の連通開口部４２が形成されている。なお、図４では、便宜上、棚板４０及びパッキン４１は一方のみを示している。そして、各棚板４０の下方には、それぞれ左右に１組ずつフィルタユニット５０が設けられ、フィルタユニット５０の下方にはハタキ設備７０が設けられている。
【００３５】
図３及び図５に示されているように、各フィルタユニット５０は、棚板４０に対応するように形成された矩形状のフィルタ枠５１と、フィルタ枠５１に吊り下げられるバグフィルタ５２と、フィルタユニット５０を仕切板２７に固定するためのロック機構５３と、を備えて構成されている。なお、図５では簡略化のため、フィルタユニット５０は一方のみを示している。
【００３６】
フィルタ枠５１には、棚板４０の連通開口部４２に対応する位置にそれぞれ１０個のスリット状のフィルタ孔５４が形成されている。左側のフィルタ枠５１は左側ガイド部材３３と中央ガイド部材３６の各レール部３７に沿って前後方向にスライド可能に設けられ、右側のフィルタ枠５１は右側ガイド部材３４と中央ガイド部材３６の各レール部３７に沿って前後方向にスライド可能に設けられている。
【００３７】
バグフィルタ５２は、１０個ずつ左右に並設されており、縦置きで上部が開口された封筒形を成し、その下端は左右方向の厚みが窄まるように縫製されている。なお、図３、図５及びその他の各斜視図では、簡略化のため、左右両側の２個のバグフィルタ５２のみを示している。
【００３８】
バグフィルタ５２の上部開口には上口パッキン５５が装着され、上口パッキン５５の内部にはスリット状の開口（図示省略）が上下に貫通して形成されている。また、上口パッキン５５の上部には鍔部５６が形成されており、鍔部５６の下面がフィルタ枠５１のフィルタ孔５４の周辺部分に密着すると共に、鍔部５６の上面が棚板４０の連通開口部４２の周辺部分に密着することにより、フィルタユニット５０が棚板４０及び仕切板２７に気密に取り付けられるようになっている。
【００３９】
また、バグフィルタ５２及び上口パッキン５５の内部には、コルゲート状（波板状）のシート５７がそれぞれ上方から挿入され、フィルタユニット５０を棚板４０及び仕切板２７に気密に固定した時に連通開口部４２を通って仕切板２７の上方に突出したシート５７の上端部はシート押え部材２９の凹部３０に嵌合し、シート４７の上方への移動が規制されている。
【００４０】
図６に良く示されているように、ロック機構５３は、フィルタ枠５１の前端中央部に左右水平に取り付けられたガイドピン５８を支点に上下方向に回動可能に設けられるロックレバー５９と、ロックレバー５９に左右水平に取り付けられたロックピン６０を支点に上下方向に回動可能に設けられる側面視でくの字形状を有するフック６１と、を備えている。フック６１は、仕切板２７の下面の前端中央部に突設されるロック部６２に掛止可能となっている。
【００４１】
図７及び図８に示すように、ハタキ設備７０は、バグフィルタ５２の並設方向である左右方向に沿ってバグフィルタ５２の下方前側に水平に設けられるハタキ軸７１と、左右のフィルタユニット５０に対応してハタキ軸７１に設けられるハタキ杆ユニット７２と、を備えている。なお、図７では、簡略化のため、左側のハタキ杆ユニット７２のみを示している。
【００４２】
ハタキ軸７１は丸棒状を成し、ハタキ軸７１には、左右両端部と該左右両端部からそれぞれ中央側に所定距離離れた位置とに、合計４個の垂直位置決めピン７３が上方垂直に突設されている。また、ハタキ軸７１には、左右両端部の垂直位置決めピン７３より両端側に、それぞれ１個ずつ合計２個の水平位置決めピン７４が前後方向水平に突設され、水平位置決めピン７４よりさらに両端側に、それぞれ１個ずつ合計２個の掛止突起７５が前後方向水平に突設されている。
【００４３】
ハタキ軸７１の右側端部には、丸棒状のジョイント部材７６が右方に延出するように固定され、ジョイント部材７６は、筐体本体３の右側面６に形成された丸孔７７（図１２参照）を貫挿している。ジョイント部材７６の右側面６から右方に突出した先端部分にはネジ溝（図示省略）が螺設されており、このネジ溝に球状のノブ７８が螺合し、このノブ７８とジョイント部材７６とにより操作部材を構成する。また、ジョイント部材７６の貫挿部分と丸孔７７との間の隙間は、丸孔７７に取り付けられたゴム製のベローズ（蛇腹）６３により密閉されており、ベローズ６３により、丸孔７７からのエア漏れが防止されると共に、ジョイント部材７６の軸方向及び周方向への動きが許容されるようになっている。
【００４４】
丸孔７７の僅か上方の右側面６の内面及び左側面６４の内面の対向する位置には、それぞれ、一対の吊金具７９が設けられている。吊金具７９は、平面視でコの字状の本体部８０と、本体部８０の対向する鉛直面に前後方向水平に渡設される軸部８１と、により構成され、本体部８０が左右側面６４，６の内面に固定され、軸部８１には左右それぞれに一対のリンク部材８２が着脱自在に懸架される。
【００４５】
リンク部材８２は、金属板を平面視でコの字状に屈曲することにより形成され、その上部には縦長の第１掛止溝８３が形成され、第１掛止溝８３が吊金具７９の軸部８１に掛止することにより、リンク部材８２は左右方向に揺動可能且つ吊金具７９に対して着脱自在に構成されている。また、リンク部材８２の下部には、横長の第２掛止溝８４が形成され、第２掛止溝８４にハタキ軸７１の掛止突起７５が掛止することにより、ハタキ軸７１は左右方向に往復動可能且つリンク部材８２に対して着脱自在に構成されている。
【００４６】
図８に良く示されているように、左右のハタキ杆ユニット７２は、それぞれ、ハタキ軸７１に装着されるベース部材８５と、ベース部材８５上に多数立設されるハタキ杆８６と、ハタキ杆８６より前方に突出するように設けられる外杆部材８７と、を備えており、ベース部材８５とハタキ杆８６と外杆部材８７は一体でハタキ軸７１に対して前後方向に回動可能となっている。
【００４７】
ベース部材８５は左右方向に細長い形状を成し、その下面側には側面視で逆Ｕ字状の下向き溝８８が形成され、下向き溝８８はハタキ軸７１に対して嵌脱可能となっている。また、ベース部材８５の左右両側端部には、ハタキ軸７１の垂直位置決めピン７３に対応する位置にそれぞれ嵌合穴８９が形成されている。嵌合穴８９は、その左右方向の幅が垂直位置決めピン７３の外径にほぼ等しく且つその前後方向の長さが垂直位置決めピン７３の外径より所定長大きくなるように形成されている。これにより、ベース部材８５は、ハタキ軸７１に対して軸方向の動きが拘束されると共に周方向の動きが所定長許容されるようになっている。
【００４８】
すなわち、ハタキ杆ユニット７２は、図８（ａ）の左側のハタキ杆ユニット７２及び図８（ｂ）に示すように垂直位置決めピン７３がベース部材８５の嵌合穴８９の前側部分に当接して最も後側に倒れた姿勢と、図８（ａ）の右側のハタキ杆ユニット７２のように垂直位置決めピン７３がベース部材８５の嵌合穴８９の後側部分に当接して最も前側に倒れた姿勢と、の間で回動可能となっている。また、ハタキ杆ユニット７２が最も後側に倒れた姿勢において、ハタキ軸７１を左右方向に往復動させると、ハタキ軸７１と一体的に左右方向に移動可能となり、ハタキ杆ユニット７２が右側の最も手前に倒れた姿勢において、ハタキ杵ユニット７２を上方に持ち上げると、ハタキ軸７１の垂直位置決めピン７３との嵌合が外れ、ハタキ杵ユニット７２を取り外し可能となる。
【００４９】
ハタキ杆８６は、細い棒状部材をループ状に屈曲することにより形成され、下端がベース部材８５に固定されている。ハタキ杆８６は、バグフィルタ５２の下端の左右両側及び隙間に対応した位置に、１つのベース部材８５に対して１１個並設されている。
【００５０】
外杆部材８７は、細い棒状部材をコの字状に屈曲することにより形成され、左右両側のハタキ杆８６の外側にそれぞれ固定されて前方に延出する左右の支持部９０と、各支持部９０の前端同士を連結する当接部９１と、を備えて構成されている。
【００５１】
このようにハタキ杆ユニット７２を構成することにより、筐体本体３のフィルタ室２にフィルタユニット５０を装着した通常の使用状態では、ハタキ杆８６がその重量バランスによって後方に倒れ、嵌合穴８９の前方部分に垂直位置決めピン７３が当接することで、ハタキ杆８６の後端側のループ状部分がバグフィルタ５２の下端の奥行き方向中央位置付近に静止した姿勢が保持されると共に、外杆部材８７がバグフィルタ５２の前端部分に接触又は近接する位置に静止した状態に保持される（図８（ａ）の左側のハタキ杆ユニット７２及び図８（ｂ）参照）。
【００５２】
次に、再び図２及び図３を参照しつつ、上記した構成を備えた粉粒体回収機１における粉粒体の基本的な回収動作について説明する。
【００５３】
図２中、一点鎖線の矢印は空気の流通方向を示しており、先ず、ルーフ体５のブロア室４内のブロアモータ１９が駆動してブロア１７が回転することにより、図示しない粉粒体加工設備等の粉粒体の発生源から筐体本体３の内部に粉粒体を含む空気（通常の集塵機の場合の含塵空気又はダーティエア）が吸気ダクト７を通ってフィルタ室２に吸い込まれる。
【００５４】
フィルタ室２において、その空気は、いずれかのバグフィルタ５２を通過して粉粒体が濾過された後、粉粒体を含まない清浄空気（クリーンエア）となり、それぞれのバグフィルタ５２の上部開口から、棚板４０の連通開口部４２を通過して、ブロア室４内に流入し、排気口２１から外部に排出される。
【００５５】
一方、フィルタ室２で空気がバグフィルタ５２の内部に吸引される過程において、空気中から濾過された粉粒体はバグフィルタ５２の外面に捕集され、この捕集された粉粒体は、一部が自重で落下してホッパ部１３に誘導されて最下部のバケット１４に収集されるが、大部分はバグフィルタ５２の外面に付着する。
【００５６】
この時、粉粒体のバグフィルタ５２の外面への付着によりバグフィルタ５２が目詰まりし、図示しないマノメータ（圧力計）で計測中の清浄空気側の圧力が所定値より低下したことを自動制御システムによって検知若しくは作業員の目視によって確認されると、自動制御システム若しくは作業員の操作により粉粒体回収機１が停止される。その後、ノブ７８を把持してジョイント部材７６を筐体本体３の右側面６に対して進退動作させると、左右一対のリンク部材８２がそれぞれ左右の吊金具７９に対して左右方向に揺動し、ハタキ軸７１及び左右のハタキ杆ユニット７２が一体で左右方向に往復動する。これにより、ハタキ杆８６が各バグフィルタ５２の外面に付着した粉粒体を払い落とし、払い落された粉粒体はホッパ部１３に誘導されてバケット１４に収集される。
【００５７】
このようにしてバケット１４に収集された粉粒体は、固定金具１５を解除してバケット１４をホッパ部１３から取り外すことにより、所定場所に廃棄されたり、或いは、再利用されたりする。なお、前述した払い落とし操作は、必ずしも粉粒体回収機１の停止状態で行なわなくとも、稼動状態で行なってもよい。
【００５８】
ところで、このようにハタキ設備７０によりバグフィルタ５２の外面に付着した粉粒体の払い落とし作業を行ったとしても、粉粒体を払い落せない程、バグフィルタ５２が目詰まりしている場合がある。また、バグフィルタ５２が目詰まりしていないものの、回収対象である粉粒体のタイプを変更して異なる工程の粉粒体回収作業を行なったり、或いは、同じタイプの粉粒体を吸引し続ける場合であっても、筐体本体３の内部に粉粒体が残留するのを防止するために、一日に一回若しくは数日に一回の割合で内部を流水洗浄したりする場合がある。
【００５９】
特に、医薬品や食料品といった衛生的にシビアな粉粒体を回収して再利用するような用途の場合には、衛生的な側面から内部にカビや細菌が繁殖しないようにする必要があるため、筐体内部に粉粒体が溜まりにくく、水洗いで簡単に残留した粉粒体を排出できるように、筐体内部は極力隅部やフランジ等の出っ張り部分がなく、曲面で構成されていることが望ましい。さらに、一日のうちに数回、回収対象である粒体のタイプを変更する場合にも対応すべく、変更作業には極力時間が掛からないよう、簡単にフィルタ交換や内部の洗浄作業ができることが望まれている。
【００６０】
次に、このような場合にフィルタユニット５０を取り外す方法について、図６、及び図８〜図１１を参照しつつ説明する。なお、左右いずれのフィルタユニットも取り外し方法は同様であるため、以下の説明では、右側のフィルタユニット５０を取り外す方法について説明する。
【００６１】
図６（ａ）中の二点鎖線の矢印のように、ガイドピン５８を支点にロックレバー５９を略９０度上方に回動させてフック６１をロック部６２から外すと、図６（ｂ）に示すように、フィルタ枠５１が右側ガイド部材３４と中央ガイド部材３６のレール部３７にガイドされた若干前傾した姿勢となる。
【００６２】
この姿勢のままロックレバー５９を前方に引くと、図９に示すように、フィルタ枠５１が右側ガイド部材３４と中央ガイド部材３６のレール部３７に沿って前方にスライドし、フィルタユニット５０は前側に迫り出してくる。この時、フィルタユニット５０の各バグフィルタ５２の前端部によって外杵部材８７が押圧され、ベース部材８５がハタキ軸７１を支点に前側に回転することにより、ハタキ杵８６は徐々に前側に起き上がってくる。そのままフィルタユニット５０をさらに前方に引き出していき、ハタキ杆８６のループ状部分９２がハタキ軸７１よりも前側に来る辺りまで移動させると、外杵部材８７も相当前側に移動しているため、ハタキ杵ユニット７２に対して特に操作を加えなくても、ハタキ杵ユニット７２はその自重により前方に回転する。
【００６３】
図１０は、図９の状態よりもさらにフィルタユニット５０を前方に引き出した状態を示しており、この状態では、図８（ａ）の右側のハタキ杆ユニット７２のように、垂直位置決めピン７３がベース部材８５の嵌合穴８９の後方部分に当接することにより、ハタキ杵８６が最も前側に倒れた姿勢に保持される。この姿勢では、外杵部材８７がバグフィルタ５２の下端部よりも下方の位置まで下がり、フィルタユニット５０の抜脱経路から外れるようになる。したがって、このままフィルタユニット５０を手前側に持ち上げれば、図１１に示すように、フィルタユニット５０を完全に取り外すことができる。なお、図１１において、ハタキ杆ユニット７２は起立した姿勢で示されているが、フィルタユニット５０を取り外した時は、上記したようにハタキ杆ユニット７２は最も前側に倒れた姿勢に保持されている（図８（ａ）の右側のハタキユニット７２参照）。
【００６４】
上記したように、一旦フィルタユニット５０を筐体本体３から取り外し、筐体本体３の内部を全面的に洗浄する場合、図１１に示すように、筐体本体３の内部にはハタキ設備７０が残っており、内部の洗浄に不都合が生じる場合がある。そこで、本実施の形態に係る粉粒体回収機１では、上記したようにハタキ設備７０を容易に取り外せるようにしている。
【００６５】
以下において、筐体本体３の内部を洗浄作業する際にハタキ設備７０を取り外す方法について、主に図１２を参照しつつ説明する。ここで、図１２（ａ）、（ｂ）、（ｃ）はハタキ設備７０を取り外す方法について順を追って示す説明図である。
【００６６】
先ず、図１２（ａ）に示すように、左右のハタキ杆ユニット７２を上方に持ち上げ、ハタキ軸７１との嵌合を解除することにより取り外すと共に、ノブ７８をジョイント部材７６との螺合を解除する方向に回転させてジョイント部材７６から取り外す。
【００６７】
次いで、図１２（ｂ）に示すように、左側のリンク部材８２を持ち上げて左側のリンク部材８２の第１掛止溝８３から左側の吊金具７９の軸部８１を外す。この時、ハタキ軸７１は左側が高く傾斜した姿勢となるが、右側のリンク部材８２はまだ右側の吊金具７９に懸架されている状態にある。この状態で、ハタキ軸７２の左側の掛止突起７５と左側のリンク部材８２の第２掛止溝８４との掛止状態を解除させれば、左側のリンク部材を取り外すことができる。
【００６８】
次いで、図１２（ｃ）に示すように、左側のリンク部材８２の第２掛止溝８４とハタキ軸７１の左側の掛止突起７５との掛止状態を解除することにより左側のリンク部材８２をハタキ軸７１から取り外すと共に、ハタキ軸７１を斜め左上方向に引き抜いていき、右側のリンク部材８２を右側の吊金具７９から取り外すか、或いは、ハタキ軸７１の右側の掛止突起７５と右側のリンク部材８２の第２掛止溝８４との掛止状態を解除させるかによって、ハタキ軸７１を斜め左上方向にさらに引き抜くことができ、ジョイント部材７６をベローズ６３から引き抜くことができるため、ハタキ軸７１全体を筐体本体３から取り外すことができる。
【００６９】
このように、ハタキ杵ユニット７２及びハタキ軸７１の取り外し作業は、何ら工具を使用することなく、簡単に行うことができる。また、ハタキ杵ユニット７２及びハタキ軸７１を取り外した後は、筐体本体３の内部に吊金具７９が残っているだけであるため、筐体本体３内部の流水洗浄等を簡単に行うことができる。
【００７０】
なお、ハタキ杵ユニット７２及びハタキ軸７１の取り付け作業は、上記した取り外し作業の各ステップを逆に行うことにより可能であるが、ハタキ杵ユニット７２の取り付け作業は、フィルタユニット５２を取り付けた後でも行うことが可能である。
【００７１】
すなわち、上記したようフィルタユニット５０を取り外した後、新しいフィルタユニット５０を筐体本体３に取り付ける際、ハタキ杆ユニット７２が装着されている状態では、フィルタユニット５０の１０個のバグフィルタ５２をそれぞれハタキ杆８６の間に位置合わせする必要がある。しかしながら、フィルタ枠５１に懸架された１０個のバグフィルタ５２は、ハタキ杵８６のループ状部分９２により区画されていない状態では、特にバグフィルタ５２の下端側が左右方向に自由に揺動し、バグフィルタ５２同士がくっ付いてしまう場合もあり、これを各ガイド部材３３，３４，３６に懸架させながら、ハタキ杵８６のループ状部分９２に位置合せするのは、非常に困難である。そのため、従来はフィルタユニット５０を一旦筐体本体３に装着した後、バグフィルタ５２の下端部分を１つずつ引き出し、ハタキ杵８６の間の所定位置に挿入していたため、フィルタユニット５０の取り付け作業に非常に手間が掛かっていた。
【００７２】
これに対して、上記した本発明の実施の形態によれば、ハタキ杵ユニット７２のベース部材８５を門形の溝形状に形成し、ベース部材８５をハタキ軸７１に対して上方から被せるだけでハタキ杆ユニット７２を取り付け可能なように構成することにより、フィルタユニット５０を筐体本体３に取り付けた後に、ハタキ杆ユニット７２をハタキ軸７１に取り付けることが可能となる。したがって、フィルタユニット５０の取り付け作業の簡略化を図ることができる。
【００７３】
また、フィルタユニット５０を取り付けた後のハタキ杵ユニット７２の姿勢が最も前側に倒れた姿勢（図８（ａ）の右側のハタキユニット７２参照）のままであったとしても、開閉扉１０を閉鎖する際に、外杵部材８７の扉側の角部が開閉扉１０の内面に当接することにより、ハタキ杆ユニット７２は後方に押圧され、バグフィルタ５２の前端部分に接触又は近接した正規の位置まで回動する。
この場合、図１３に示すように、開閉扉１０の内面の外杆部材８７との当接位置に、当接ガイド１００を内側に突出するように設けてもよい。
【００７４】
図１３は当接ガイド１００を設けた開閉扉１０を閉鎖することによりハタキ杆ユニット７２を筐体本体３の内部の所定位置に収納する方法を示す説明図であり、（ａ）は正面図、（ｂ）は平面図、（ｃ）は右側面図である。図１３（ｃ）には、フィルタユニット５０を引き出した状態を二点鎖線で示し、ハタキ杆ユニット７２は回転角度の異なる３通りの姿勢を示している。また、図１３（ｃ）において、最もハタキ杵ユニット７２が後方に倒れた姿勢が粉粒体回収機１の動作時のもので、この時、外杵部材８７は上記した通り、フィルタユニット５０のバグフィルタ５２の前端部分に接触又は近接した正規の位置で静止している。また、最も前方に倒れた姿勢が、フィルタユニット５０の取り外し終了時点のものであり、この姿勢では、フィルタユニット５０のバグフィルタ５２の下端よりも若干下方に外杵部材８７の当接部９１が移動しており、フィタユニット５０の引き出し動作の邪魔にならないようになっている。
【００７５】
図１３に示す例では、当接ガイド１００は、開閉扉１０の内面に左右２個設けられている。そして、当接ガイド１００の内面には、図１３（ａ）に良く示されているように、僅かに凹状に湾曲した傾斜面１０１が形成されており、この傾斜面１０１は、左右のハタキ杆ユニット７２が最も前方に倒れた姿勢の時に外杆部材８７の角部に当接するように形成されている。また、これらの当接ガイド１１０は、ハタキ杵ユニット７２が前記正規の位置に収納された時には、ハタキ杵ユニット７２に接することなく、筐体本体３の開口部９内に収まるようになっている。
【００７６】
ハタキ杵ユニット７２が最も前方に倒れた姿勢の時に、このように当接ガイド１００を設けた開閉扉１０を閉鎖すると、先ずは外杵部材８７の扉側の角部が当接ガイド１００の傾斜面１０１の内面に当接し、ハタキ杆ユニット７２は上方に回動する。次に、ハタキ杆ユニット７２は、図１３（ｃ）で示す中間的な角度の位置まで移動し、その後は、開閉扉１０の内面に押圧され、さらに後方に回動し、ハタキ杆８６の重量バランスによって、バグフィルタ５２の前端部分に接触又は近接した前記正規の位置まで回動する。
【００７７】
このように外杵部材８７の角部が当接した際に、ハタキ杵ユニット７２を上方に回動させるよう開閉扉１０の内面に当接ガイド１００を設けることにより、非常にスムーズにハタキ杵ユニット７２を前記正規の位置にセットすることが可能となる。
【００７８】
なお、図１３中、当接ガイド１００は、左右に１個ずつ合計２個設けられているが、これらを連続させて横長状のものを１個だけ設ける等、設置位置、個数、形状等は各種変更が可能である。
【００７９】
このように本発明の実施の形態によれば、フィルタユニット５０の取り外し作業や、フィルタユニット５０を取り付けた後のハタキ杵ユニット７２の取り付け作業を簡単に行うことができ、特別な工具など用いずにメンテナンスや洗浄作業を容易且つ確実に行うことが可能となる。
【００８０】
また、例え、誤ってハタキ杵ユニット７２を最も前方に傾斜させた状態で開閉扉１０を閉鎖操作したとしても、ハタキ杵８６のループ状部分９２や外杵部材８７を開閉扉１０と筐体本体３との間に挟み込んで、変形させたり破損させたりしてしまう虞がない。
【産業上の利用可能性】
【００８１】
本発明の技術は、医薬品・食料品、または化粧品などの製造工程で使用される粉粒体回収機や、金属加工設備に付帯して用いられる様々な粉塵を収集する集塵機において採用されて好適なものである。
【符号の説明】
【００８２】
１  粉粒体回収機
３  筐体本体
６  右側面
９  開口部
１０  開閉扉
３３  左側ガイド部材
３４  右側ガイド部材
３６  中央ガイド部材
５０  フィルタユニット
５２  バグフィルタ
６４  左側面
７１  ハタキ軸
７２  ハタキ杆ユニット
７６  ジョイント部材（操作部材）
７８  ノブ（操作部材）
７９  吊金具
８２  リンク部材
８５  ベース部材
８６  ハタキ杆
８７  外杆部材
８８  下向き溝
１００  当接ガイド
【図１】
2014050821.tif 000003
【図２】
2014050821.tif 000004
【図３】
2014050821.tif 000005
【図４】
2014050821.tif 000006
【図５】
2014050821.tif 000007
【図６】
2014050821.tif 000008
【図７】
2014050821.tif 000009
【図８】
2014050821.tif 000010
【図９】
2014050821.tif 000011
【図１０】
2014050821.tif 000012
【図１１】
2014050821.tif 000013
【図１２】
2014050821.tif 000014
【図１３】
2014050821.tif 000015